(57)【要約】【課題】デッドスペースを活用して音質が良くなる大きなスピーカーを配置することが可能となり、音質の向上を図り、本体全体から聞こえるようにスピーカーを配置した加熱調理器を得ること。  【解決手段】グリル加熱室８が形成されている調理器本体１と、調理器本体１の上面に設けられた天板部２と、調理器本体１内をグリル加熱室８の上面位置で上下に区画する水平仕切板１２と、調理器本体１内で、水平仕切板１２の上方に配設された２つの誘導式加熱源６と中央加熱源７と、調理器本体１内で、水平仕切板１２の前側上方に配設され、内部に上面操作部３１の操作ボタン３８や、液晶表示装置４２、４３等の各種電気・電子部品を収容する前部品ケース５０と、前部品ケース５０の底面と水平仕切板１２との間の隙間に、音を上下向きとする横向きに配置されたスピーカー６０とを備えたものである。  【選択図】図３
2010186720.tif 000002
【特許請求の範囲】
【請求項１】
グリル加熱室が形成されている調理器本体と、
調理器本体の上面に設けられた天板部と、
調理器本体内をグリル加熱室の上面位置で上下に区画する水平仕切板と、
調理器本体内で、水平仕切板の上方に配設された少なくとも１つの加熱源と、
調理器本体内で、水平仕切板の前側上方に配設され、内部に各種電気・電子部品を収容する前部品ケースと、
該前部品ケースの底面と前記水平仕切板との間の隙間に、音を上下向きとする横向きに配置されたスピーカーと、
を備えたことを特徴とする加熱調理器。
【請求項２】
前記スピーカーは、前記前部品ケースの底面に取り付け固定されたスピーカーカバーによって覆われていることを特徴とする請求項１記載の加熱調理器。
【請求項３】
前記スピーカーカバー内に音声基板が配設されていることを特徴とする請求項２記載の加熱調理器。
【請求項４】
前記前部品ケースの底面に前記スピーカー、前記音声基板及び前記スピーカーカバーを一体に組み付けるようにしたことを特徴とする請求項３記載の加熱調理器。
【発明の詳細な説明】
【技術分野】
【０００１】
本発明は調理器本体内にスピーカーを備えた加熱調理器に関するものである。
【背景技術】
【０００２】
従来の加熱調理器は、調理器本体内で正面に向けてスピーカーを具備し、調理器本体前面に設けた操作パネルにスピーカーの音声を放射する音声放射口を設け、スピーカーと音声放射口との間に導波管を設け、後方へ出た音が前方に回り込み、前方の音を打ち消してしまうのを防ぐようにしていた（例えば、特許文献１参照）。  
【先行技術文献】
【特許文献】
【０００３】
【特許文献１】特開昭５９−８６８３１号公報（第１頁、第４図）
【発明の概要】
【発明が解決しようとする課題】
【０００４】
従来の加熱調理器は、調理器本体内で正面に向けてスピーカーを配置し、調理器本体前面に設けた操作パネルに設けた音声放射口とスピーカーとの間に導波管を設けていたため、操作パネルの後方にスピーカーだけでなく、導波管を設けるスペースを取る必要があり、スペース的に大きいスピーカーを取り付けると、後方もより大きなスペースが必要となるため、大きいスピーカーを取り付けることはできないという問題があった。
また、調理器本体内で正面に向けてスピーカーを配置した場合、スピーカーの後方には加熱部などの制御基板があり、導波管を設けるスペースだけ、制御基板を小さくしたり、制御基板の配置も制約され、制御基板は冷却が必要であり、風路構成にも影響するという問題もあった。
さらに、調理器本体内で正面に向けてスピーカーを配置した場合、スピーカーの前方には操作部があり、操作部の操作性の向上のために表示部や操作ボタンが設けられており、スペースに制約があるため、音声基板をスピーカーの近くに置くのが難しいという問題もあった。
また、調理器本体内で正面に向けてスピーカーを配置した場合、音が前面から出てくるので、正面からは聞き易いが、調理中は耳位置は調理器本体上方となるため聞きずらくなるという問題もあった。
本発明はかかる問題点を解決するためになされたもので、デッドスペースを活用して音質が良くなる大きなスピーカーを配置することを可能として音質の向上を図り、音の聞こえ方が従来のように前からではなく本体全体から聞こえるようにスピーカーを配置した加熱調理器を得ることを目的とする。
【課題を解決するための手段】
【０００５】
本発明の加熱調理器は、グリル加熱室が形成されている調理器本体と、調理器本体の上面に設けられた天板部と、調理器本体内をグリル加熱室の上面位置で上下に区画する水平仕切板と、調理器本体内で、水平仕切板の上方に配設された少なくとも１つの加熱源と、調理器本体内で、水平仕切板の前側上方に配設され、内部に各種電気・電子部品を収容する前部品ケースと、該前部品ケースの底面と前記水平仕切板との間の隙間に、音を上下向きとする横向きに配置されたスピーカーとを備えたものである。
【発明の効果】
【０００６】
本発明の加熱調理器においては、調理器本体内でグリル加熱室の上面位置で上下に区画する水平仕切板の前側上方に配設された各種電気・電子部品を収容する前部品ケースの底面と前記水平仕切板との間の隙間に、音を上下向きとする横向きにスピーカーを配置するようにしたので、デッドスペースの活用を図ることができ、前部品ケース等の構成部品に共振し、調理器本体の天面が鳴っているように聞こえると共に前部品ケースの底面を超えない範囲までスピーカーの径を大きくすることができ、音質の向上を図ることができるという効果がある。
【図面の簡単な説明】
【０００７】
【図１】本発明の実施の形態の加熱調理器の一部を分解した状態の斜視図。
【図２】同加熱調理器の天板部を取り外した状態での本体部全体を示す斜視図。
【図３】同加熱調理器の本体制御基板ホルダーを分解した状態の斜視図。
【図４】同加熱調理器の本体制御基板ホルダーの下ケースとスピーカーホルダーとスピーカーとを分解した状態の斜視図。
【図５】同加熱調理器の本体制御基板ホルダーの平面図。
【図６】図５のＡ−Ａ線断面図。
【発明を実施するための形態】
【０００８】
図１は本発明の実施の形態に係る加熱調理器の一部を分解した状態の斜視図、図２は同加熱調理器の天板部を取り外した状態での本体部全体を示す斜視図、図３は同加熱調理器の本体制御基板ホルダーを分解した状態の斜視図、図４は同加熱調理器の本体制御基板ホルダーの下ケースとスピーカーホルダーとスピーカーとを分解した状態の斜視図、図５は同加熱調理器の本体制御基板ホルダーの平面図、図６は図５のＡ−Ａ線断面図である。
本発明の実施の形態の加熱調理器は、図１に示すように、略矩形の調理器本体１を中心に構成されている。調理器本体１の上面には天板部２があり、調理器本体１の上面以外の周囲は筐体３により囲まれている。
【０００９】
図１において、天板部２は枠体２１と、枠体２１の開口部に取り付けられるトッププレート２２とで構成されている。２３Ａは枠体２１の形成時にプレス機械で同時に打ち抜き形成された右通風口で後述する送風機の吸気口となる。２３Ｂは同じく枠体２１の形成時に打ち抜き形成された中央通風口、２３Ｃは同じく上枠２０の形成時に打ち抜き形成された左通風口である。
トッププレート２２の上面には、図１に示すように、左右のＩＨコイル６，中央加熱源７のおおまかな位置を示す円形の案内マーク６Ｍ、７Ｍが、それぞれ印刷等の方法で表示されている。
【００１０】
図２において、調理器本体１は、大きく分けて左右に前後方向に長く延びる右側冷却室１１Ｒ及び左側冷却室１１Ｌと、前方中央に箱形のグリル加熱室８と、後部中央の排気ダクト１３及び後部左右の吸気口１４が区画形成されている。これら各部屋は互いに完全に隔絶している訳でなく、例えば右側冷却室１１Ｒ、左側冷却室１１Ｌと排気室１３が連通している。
【００１１】
その調理器本体１の中央部はグリル加熱室８の上面位置で水平仕切板１２により上下に区画されている。その水平仕切板１２の上方には、天板部２に載置された金属製鍋等の被加熱部Ｎを誘導加熱するための誘導式加熱源である前方左右２つのＩＨコイル６と，電気輻射熱で加熱する後方中央の電気ヒータ、例えばラジエントヒータと呼ばれる中央加熱源７と、商用電源が引き込まれて他の基板に電源を供給する電源基板９と、電源基板９から電力が供給され、中央加熱源７及びグリル加熱室８の加熱源の調理条件を制御する加熱制御装置を備えた制御基板１０とが設けられている。
【００１２】
グリル加熱室８はドア１９が閉じられた状態では、略独立した密閉空間になっているが、排気ダクト１３を介して調理器本体１の外部空間、つまり台所等の室内空間に連通している。
このグリル加熱室８の前面開口はドア１９によって開閉自在に覆われ、ドア１９は前後方向に移動自在になるようにグリル加熱室８に支持機構によって保持されている。ドア１９の開閉操作は前方に突出した取っ手１９Ａによって行うことができる。
【００１３】
右側冷却室１１Ｒと左側冷却室１１Ｌには、それぞれファンケース１５と部品ケース１６とで構成される冷却ユニット１７が設置されている。ファンケース１５には送風機（図示省略）が内蔵され、部品ケース１６にはＩＨコイル６に所定の高周波電力を供給するインバーター回路が実装された回路基板（図示省略）が内蔵されている。
その各ファンケース１５は吸気口１４と連通している。また、各部品ケース１６と各ＩＨコイル６との間には冷却ダクト（図示省略）が配置させられている。
従って、吸気口１４から吸い込まれた冷却風は、冷却ユニット１７を介して冷却ダクトよりＩＨコイル６に吹き出され、部品ケース１６内の回路基板及びＩＨコイル６が冷却され、その後に電源基板９と制御基板１０を冷却した後に排気ダクト１４から外部に放出される。
【００１４】
この実施の形態における加熱調理器の操作手段は、図１に示すように、前面操作部３０と上面操作部３１とからなっている。
調理器本体１の左右両側の前面にプラスチック製の左前面操作パネル３２Ｌ、右前面操作パネル３２Ｒが取り付けられており、これら左右の前面操作パネル３２Ｌ、３２Ｒが前面操作部３０となっている。
この右前面操作パネル３２Ｒには、左右のＩＨコイル６、中央加熱源７の全ての電源を一斉に投入・遮断しうる主電源スイッチの操作ボタン３３と、右のＩＨコイル６の通電とその通電量（火力）を制御する右操作ダイヤル３４Ｒとが設けられている。
また、左前面操作パネル３２Ｌには、左のＩＨコイル６の通電とその通電量（火力）を制御する左操作ダイヤル３４Ｌが設けられている。
【００１５】
また、トッププレート２２の前面側には上面操作部３１が設けられている。その上面操作部３１は、右火力設定用操作部３５、左火力設定用操作部３６及び中央操作部３７とからなっている。
右火力設定用操作部３５及び左火力設定用操作部３７の下方には、左、右のＩＨコイル６による電磁調理における制御温度を１度ずつ加算的又は減算的に設定する温度調節スイッチの操作ボタンが横一列に設けられている。
また、中央操作部３７の下方には、グリル加熱室８のヒーターの通電を開始したり、停止したりする操作ボタン及びグリル加熱室８のヒーターによるグリル調理における制御温度を１度ずつ加算的又は減算的に設定する温度調節スイッチの操作ボタンが横一列に設けられている。
これら操作部３５〜３７の操作ボタン３８は、図２に示すように、後述する前部品ホルダー４０に設けられた細長い基板３９に一列にボタン群として設けられている。
【００１６】
また、トッププレート２２の左右方向の中央部で、前後方向の前側には、統合液晶表示部４０が設けられ、その統合液晶表示部４０の左右に液晶表示部４１Ｌと４１Ｒが設けられている。この統合液晶表示部４０の下方に統合液晶表示装置４２が配置され、液晶表示部４１Ｌと４１Ｒの下方に液晶表示装置４３Ｌと４３Ｒが配置されている。
その統合液晶表示装置４２は、左右のＩＨコイル６、中央加熱源７及びグリル加熱室８のヒータ等の通電状態（火力や時間等）を入力したり、確認したりすることができる。
また、左右の液晶表示装置４３Ｌと４３Ｒは、タイマー調理の左右のＩＨコイル６におけるタイマースイッチを操作すると、そのスタート時点からの経過時間が計測されて数字で表示される。
【００１７】
図２から図４において、調理器本体１の中央部に設けられた水平仕切板１２の前側には、内部に上面操作部３１の操作ボタン３８や、液晶表示装置等の各種電気・電子部品を収容する前部品ケース５０が水平仕切板１２から間隔を置いて設置されている。
この前部品ケース５０は、上面が開放した透明プラスチック製の下ダクト５１と、この下ダクト５１の上面開口を塞ぐように密閉する蓋となる透明プラスチック製の上ダクト５２とから構成されている。
【００１８】
下ダクト５１の前側全体に上面操作部３１の操作ボタン３８が取り付けられた細長い基板３９が設けられている。
また、下ダクト５１の中央に統合液晶表示装置４２を取り付けた液晶カバー５３が配設され、下ダクト５１の左右に液晶表示装置４３Ｌと４３Ｒをそれぞれ取り付けた基板５４Ｌ、５４Ｒが配置されている。
上ダクト５２の天井面には、中央に統合液晶表示窓５５が、また左右には液晶表示窓部５６Ｌ、５６Ｒがそれぞれ設置されている。
【００１９】
下ダクト５１の底部下面に４つのスピーカー受片５７が環状配置に設けられていると共にこれらスピーカー受片５７の周囲に３つのカバー取付ボス５８が設けられている。
さらに、下ダクト５１の底部下面には、これらカバー取付ボス５８に隣接して２つの基板取付ボス５９が設けられている。なお、１つのカバー取付ボス５８は基板取付ボスを兼ねる。
６０は４つのスピーカー受片５７に支持されるスピーカー、６１は２つの基板取付ボス５９と基板取付ボスを兼ねるカバー取付ボス５８に取り付けられる音声基板で、音声基板６１とスピーカー６０とはリード線６２で接続される。
６４は凹状のスピーカーカバーで、内部底面に環状スピーカー押え６５を有し、環状スピーカー押え６５の中心にボイスコイル押え６６を有し、外側にネジ穴を有する３つの取付部材６７を有している。
【００２０】
この前部品ケース５０の下ダクト５１に対するスピーカー６０の取り付けについて説明する。
まず、下ダクト５１の底部下面が上を向くように下ダクト５１を作業台に設置する。次に、下ダクト５１の底部下面に設けられている４つのスピーカー受片５７にスピーカー６０のコーン保持枠６０ａの周縁を支持させる。
また、下ダクト５１の底部下面に設けられている２つの基板取付ボス５９に音声基板５１をネジ（図示省略）で取り付ける。このとき、音声基板５１のリード線５２をスピーカー６０に接続する。
【００２１】
しかる後に、凹状のスピーカーカバー６４でスピーカー６０と音声基板５１を覆うようにし、スピーカーカバー６４の外側に設けられている３つの取付部材６７のネジ穴からネジを螺合し、ネジの先端側を下ダクト５１の底部下面に設けられた３つのカバー取付ボス５８にネジ止めすることにより、下ダクト５１の底部下面にスピーカー６０がスピーカーカバー６４によって固定される。
そして、１つのカバー取付ボス５８は基板取付ボス５９を兼ねるため、スピーカーカバー６４によってスピーカー６０が固定されるときに音声基板５１も下ダクト５１に固定される。
【００２２】
このとき、スピーカーカバー６４に設けられた環状スピーカー押え６５がスピーカー６０のコーン保持枠６０ａの周縁を押さえると共にボイスコイル押え６６がスピーカー６０のボイスコイル６０ｂを押さえるため、スピーカー６０は下ダクト５１の底部下面にスピーカーカバー６４によってガタなく取り付けられることとなる。
下ダクト５１の底部下面に取り付けられたスピーカーカバー６４は、下ダクト５１を水平仕切板１２から間隔をおいて設置する役目も果たしている。
【００２３】
前部品ケース５０は、一般にグリル熱の影響をできるだけ受けないようにするために、水平仕切板１２から隙間を置いて取り付けられるようになっており、その隙間がデッドスペースともなっている。
そこで、この実施の形態では、水平仕切板１２と前部品ケース５０の底面との間の隙間に音を上下向き（振動板が上下方向に振動することをいう）とする横向きにスピーカー６０を配置するようにしたので、デッドスペースの活用を図ることができ、構成部品に共振し、調理器本体１の天面が鳴っているように聞こえるものである。
また、前部品ケース５０を構成する下ダクト５１の底部下面に音が上下向きとする横向きにスピーカー６０が取り付けられているので、下ダクト５１の底部下面を超えない範囲までスピーカー６０の径を大きくすることができ音質の向上を図ることができる。
【００２４】
さらに、前部品ケース５０を構成する下ダクト５１の底部下面にスピーカーカバー６４によってスピーカー６０が覆われるように取り付けられているので、スピーカー６０はスピーカーカバー６４によってグリル熱の影響を受けず、水や埃もかかることがない。
また、下ダクト５１の底部下面にスピーカーカバー６４によって音を上下向きとする横向きにスピーカー６０が取り付けられているので、スピーカーカバー６４がスピーカー・エンクロージャの役目を果たし、調理器本体１の前面側にスピーカー・エンクロージャが無くなることで、制御基板面積を大きく取れ、制御基板冷却風路も大きく取れることとなった。
【００２５】
また、下ダクト５１の底部下面にスピーカーカバー６４によってスピーカー６０と音声基板６１が一体的に取り付けられているので、スピーカー６０と音声基板６１とを接続するリード線６２の配線が短くなり、ノイズによる音割れを低減することができる。
さらに、上面操作部３１の操作ボタン３８を有する前部品ケース５０の底面に、スピーカー６０、音声基板３１、スピーカーカバー６４を一体に組み付けるようにしたため、ユニット化でき、組付性・メンテナンス性が向上する。即ち、スピーカー６０、音声基板３１、スピーカーカバー６４を一体に組み付けた前部品ケース５０の組付け、取り替えで済むからである。
【００２６】
上記実施の形態は電磁加熱調理器であるが、前方中央にグリル加熱室を備え、上部に複数の加熱源を設けた加熱調理器についても、本発明が適用されることはいうまでもない。
【符号の説明】
【００２７】
１  調理器本体、２  天板部、３  筐体、６  ＩＨコイル、７  中央加熱源、８  グリル加熱室、９  電源基板、１０  制御基板、１１Ｌ  左側冷却室、１１Ｒ  右側冷却室、１２  水平仕切板、１３  排気ダクト、１４  吸気口、１５ファンケース、１６  部品ケース、１７  冷却ユニット、１９  ドア、２１  枠体、２２  トッププレート、２３Ａ  右通風路、２３Ｂ  中央通風路、２３Ｃ  左通風路、３０  前面操作部、３１  上面操作部、３２Ｌ  左前面操作パネル、３２Ｒ  右前面操作パネル、３４Ｌ  左操作ダイアル、３４Ｒ  右操作ダイアル、３５  右火力設定用操作部、３６  左火力設定用操作部、３７  中央操作部、３８  操作ボタン、３９  基板、４０  統合液晶表示部、４１Ｌ・Ｒ  液晶表示部、４２  統合液晶表示装置、４３Ｌ・Ｒ  液晶表示装置、５０  前部品ケース、５１  下ダクト、５２  上ダクト、５３  液晶カバー、５４Ｌ・Ｒ  基板、５５  統合液晶表示窓、５６Ｌ・Ｒ  液晶表示窓、５７  スピーカー受片、５８  カバー取付ボス、５９  基板取付ボス、６０  スピーカー、６０ａ  コーン保持枠、６０ｂ  ボイスコイル、６１  音声基板、６２  リード線、６４  スピーカーカバー、６５  環状スピーカー押え、６６  ボイスコイル押え、６７  取付部材。  
【図１】
2010186720.tif 000003
【図２】
2010186720.tif 000004
【図３】
2010186720.tif 000005
【図４】
2010186720.tif 000006
【図５】
2010186720.tif 000007
【図６】
2010186720.tif 000008